(57)【要約】【課題】撮像装置において、接着剤の収縮が発生しても光軸のずれが生じることを抑制する。【解決手段】撮像素子を搭載する基板と、レンズを保持するレンズ鏡筒と、前記レンズ鏡筒を保持し、前記基板と連結されたホルダと、前記基板と前記ホルダとの間に、前記撮像素子を覆うよう配置された弾性部材と、を備える構成とする。【選択図】図２
2019082546.tif 000002
【特許請求の範囲】
【請求項１】
撮像素子を搭載する基板と、
レンズを保持するレンズ鏡筒と、
前記レンズ鏡筒を保持し、前記基板と連結されたホルダと、
前記基板と前記ホルダとの間に、前記撮像素子を覆うよう配置された弾性部材と、を備える、
撮像装置。
【請求項２】
前記弾性部材は、前記基板及び前記ホルダに対して光軸方向の付勢力を与える、
請求項１に記載の撮像装置。
【請求項３】
前記弾性部材は、前記撮像素子の周辺空間を密封する、
請求項１または請求項２に記載の撮像装置。
【請求項４】
前記弾性部材は、前記撮像素子の周辺を覆うよう形成された矩形状の部分と、前記レンズ鏡筒に径嵌合する円筒状部分とを有する、
請求項１から請求項３のいずれか１項に記載の撮像装置。
【請求項５】
撮像素子を搭載する基板と、
レンズを保持するレンズ鏡筒と、
前記レンズ鏡筒を保持し、前記基板と連結されたホルダと、
前記基板と前記ホルダとの間に、前記撮像素子を覆うよう配置されたカバー部材と、を備える、
撮像装置。
【発明の詳細な説明】
【技術分野】
【０００１】
本発明の一態様は、撮像装置等に関する。
【背景技術】
【０００２】
レンズ鏡筒と、撮像素子を搭載した基板を有する撮像装置では、撮像素子に対してレンズ鏡筒の位置を調整し、光軸を調整する必要がある。光軸調整には、光軸方向における撮像素子とレンズとの距離の調整（ピント調整）、光軸に垂直な方向における撮像素子とレンズとの相対位置の調整（シフト調整）、及び撮像素子とレンズとの間の傾きの調整（チルト調整）などがある。特許文献１〜４には、光軸調整を精度良く行うための従来の構成が開示されている。
【先行技術文献】
【特許文献】
【０００３】
【特許文献１】特開２００５−９４７３１号公報
【特許文献２】特開２００６−３０８９８７号公報
【特許文献３】特開２０１２−４９６２１号公報
【特許文献４】特開２０１６−２７３６０号公報
【発明の概要】
【発明が解決しようとする課題】
【０００４】
近年、カメラなどの撮像装置の小型化や高精度化に伴い、従来よりも高い精度で光軸調整を行い、撮像装置を組み立てた後にも光軸がずれない構成にすることに対する要求が高まっている。これに対し、従来の構成では、撮像装置の組み立てに利用した接着剤が高温により膨張した場合に、光軸がずれてしまう場合があった。
【課題を解決するための手段】
【０００５】
本発明は、上記の課題などを解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
撮像素子を搭載する基板（４）と、
レンズを保持するレンズ鏡筒（２）と、
前記レンズ鏡筒を保持し、前記基板と連結されたホルダ（１）と、
前記基板と前記ホルダとの間に、前記撮像素子を覆うよう配置された弾性部材（８）と、を備える、
撮像装置である。
【０００７】
上記構成の撮像装置では、弾性部材を配置することで、ホルダと基板との位置を安定させつつ、撮像素子の近傍に塵埃が入り込むことを抑制することができる。これによって、光軸のずれを抑制するとともに、撮像素子に塵埃が付着することで発生する撮像画像の劣化を抑制することができる。
【０００８】
上記撮像装置において、好ましくは、
前記弾性部材は、前記基板及び前記ホルダに対して光軸方向の付勢力を与える。
【０００９】
上記構成の撮像装置によれば、例えば、ホルダと基板との間に塗布した接着剤が温度または湿度により収縮したとしても、ホルダと基板との間の光軸方向の位置を安定させることが可能となる。
【００１０】
上記撮像装置において、好ましくは、
前記弾性部材は、前記撮像素子の周辺空間を密封する。
【００１１】
上記構成の撮像装置によれば、塵埃が撮像素子の周辺に入り込んで撮像素子に塵埃が付着することをより効果的に抑制することができる。これにより、撮像画像の劣化をより効果的に抑制することができる。
【００１２】
上記撮像装置において、好ましくは、
前記弾性部材は、前記撮像素子の周辺を覆うよう形成された矩形状部分と、前記レンズ鏡筒に径嵌合する円筒状部分とを有する。
【００１３】
上記構成の撮像装置によれば、撮像素子の周辺を適切に覆いつつ、レンズ鏡筒と弾性部材との間に隙間が発生することを防止することができ、より効果的に、撮像素子の周辺空間を密封した構成にすることができる。
【００１４】
また、本発明の一の手段は、
撮像素子を搭載する基板（４）と、
レンズを保持するレンズ鏡筒（２）と、
前記レンズ鏡筒を保持し、前記基板と連結されたホルダ（１）と、
前記基板と前記ホルダとの間に、前記撮像素子を覆うよう配置されたカバー部材（８）と、を備える、
撮像装置である。
【００１５】
上記構成の撮像装置では、カバー部材によって、撮像素子の近傍に塵埃が入り込むことを抑制することができる。これによって、撮像素子に塵埃が付着することで発生する撮像画像の劣化を抑制することができる。
【図面の簡単な説明】
【００１６】
【図１】図１は、撮像装置の外観斜視図である。
【図２】図２は、光軸方向前方から見た撮像装置の分解斜視図である。
【図３】図３は、光軸方向後方から見た撮像装置の分解斜視図である。
【図４】図４は、光軸方向前方から見た撮像装置の平面図である。
【図５】図５は、図４のＪ−Ｊの位置における断面図である。
【発明を実施するための形態】
【００１７】
本発明の撮像装置は、光軸ずれを抑制するために、基板とホルダとの間に、基板上の撮像素子を覆うように弾性シール部材（弾性部材）を配置している構成に特徴のひとつがある。以下、具体的な実施形態について説明する。
【００１８】
なお、本明細書では、レンズの中心位置であって、撮像素子に入射する光の中心位置を「光軸」と称する。レンズに対して撮像素子とは反対側に位置する撮像対象を「被写体」と称する。レンズに対して被写体が位置する方向を、「光軸方向前方」または「フロント側」と称することがある。レンズに対して撮像素子が位置する方向を、「光軸方向後方」または「リア側」と称することがある。また、各図には、互いに直交するＸ軸、Ｙ軸、及びＺ軸を示している。Ｚ軸は、光軸の延びる方向と平行な方向である。
【００１９】
本発明に係る実施形態について、以下の構成に従って説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．補足事項
【００２０】
＜１．実施形態＞
本発明の実施形態について、図面を参照しながら説明する。図１は本実施形態の撮像装置を光軸方向前方側から見た外観斜視図である。図２及び図３は、本実施形態の撮像装置の分解斜視図であり、図２は光軸方向前方から見た図、図３は光軸方向後方から見た図である。図４は、本実施形態の撮像装置の光軸方向前方から見た平面図である。図５は図４のＪ−Ｊの位置における断面図である。
【００２１】
図示されるように、本実施形態の撮像装置は、ホルダ１、レンズ鏡筒２、基板４、及び弾性シール部材８を含んで構成される。また、これらの構成を連結させたり固定させたりするために、接着剤３ａ及び３ｂ、連結ねじ６及び７、並びに固定具５が用いられている。
【００２２】
＜ホルダ１＞
ホルダ１は、レンズ鏡筒２を保持し、基板４に連結される。ホルダ１は、光軸方向前方に、円筒状に貫通するよう形成された開口部１ａを有しており、この開口部１ａの径方向内側に、レンズ鏡筒２が光軸方向前方から挿入され、保持される。ホルダ１とレンズ鏡筒２とは、ねじ嵌合などにより径嵌合している。なお、ホルダ１とレンズ鏡筒２とは、ねじ嵌合でなく単なる径嵌合であり、接着剤等で位置固定されていてもよい。
【００２３】
ホルダ１の光軸方向後方の３箇所には、接着剤３ａが配置される。図２及び図３に示された接着剤３ａは、硬化して組み立てられた後の状態を示しており、円環状になっている。この円環状の接着剤３ａの中心部（開口部）には、光軸方向後方から、基板４の貫通孔４１に挿通された連結ねじ６が挿通される。連結ねじ６は、基板４及び接着剤３ａを貫通し、ホルダ１の光軸方向後方の面に形成されたねじ孔１ｃに挿入される。連結ねじ６は、頭部６ａと軸部６ｂとを有する。ねじ孔１ｃの内側にはねじ山が形成されており、連結ねじ６の軸部６ｂに形成されたねじ山とねじ嵌合している。連結ねじ６の頭部６ａは、基板４の光軸方向後方の面に当接する。
【００２４】
なお、連結ねじ６に代えて、ホルダ１に形成された、頭部を有さない円筒状のピンを有する構成としてもよい。この場合、組み立て時には、基板４から光軸方向後方の突出したピンの端部をかしめることで、ホルダ１と基板４とを連結する。このとき、かしめられたピンの頭部は、連結ねじ６の頭部６ａと同様に基板４に接する状態となる。なお、このピン及びホルダ１が樹脂で形成されている場合には、ピンの頭部を加熱する熱カシメによりかしめてもよい。
【００２５】
ホルダ１の光軸方向後方の面には、連結ねじ６が挿入されるねじ孔１ｃ以外に、補助連結ねじ７が挿入されるねじ孔１ｄが形成されている。ねじ孔１ｄには、基板４の貫通孔４２ａ及び４２ｂを貫通した補助連結ねじ７が挿入される。補助連結ねじ７は、頭部７ａと軸部７ｂとを有する。ねじ孔１ｄの内側にはねじ山が形成されており、補助連結ねじ７の軸部７ｂに形成されたねじ山とねじ嵌合している。補助連結ねじ７の頭部７ａと基板４との間には、接着剤３ｂが配置される。
【００２６】
ホルダ１は、光軸に垂直な方向（Ｙ軸方向）に、固定具５が挿入される孔部１ｂを有する。この孔部１ｂは、図２及び図３などに示されるように、Ｙ軸方向に延び、開口部１ａの中心部に向かって貫通して形成されている。この孔部１ｂに挿入された固定具５は、ねじなどであって、レンズ鏡筒２をＹ軸方向に押圧することで、レンズ鏡筒２を開口部１ａに向かって押し当て、レンズ鏡筒２の位置を固定する。固定具５とホルダ１とはねじ嵌合していてもよいし、接着剤等で固定されてもよいし、ねじ嵌合及び接着剤により固定されてもよい。
【００２７】
＜レンズ鏡筒２＞
レンズ鏡筒２は、光軸方向に伸びる円筒状の部材であって、レンズ２ａを含む１以上の光学部材を保持する。レンズ鏡筒２は、ホルダ１と径嵌合している。レンズ鏡筒２は、上記のように固定具５によってホルダ１に対して固定されている。
【００２８】
レンズ鏡筒２に保持される光学部材には、レンズ２ａの他に、レンズ、スペーサ、口径板、及び光学フィルタ（図示省略）などが含まれる。レンズ２ａを含むレンズは、ガラスまたはプラスチック等の透過性を有する素材で形成され、光軸方向前方からの光を屈折させながら光軸方向後方に透過させる。スペーサは、光軸方向に適度な厚みを有する円板状の部材であり、各レンズの光軸方向の位置を調整する。スペーサは、光軸を含む中心部に開口部を有する。口径板は、通過する光の最外位置を決める。光学フィルタは、所定の波長の光を抑制または遮蔽する。光学フィルタは、例えば、通過する赤外線を抑制する赤外線カットフィルタなどが含まれる。これらの光学部材の種類及び数は、任意に変更可能である。
【００２９】
＜基板４＞
基板４は、剛性を有するリジッド基板であって、撮像素子４ａを含む電子部品が搭載される。撮像素子４ａは、照射された光を電気信号に変換する光電変換素子であり、例えばＣ−ＭＯＳセンサやＣＣＤなどであるが、これらに限定されるものではない。なお、撮像装置においては、撮像素子４ａ以外の撮像機能を要する撮像部を採用してもよい。
【００３０】
基板４には、連結ねじ６及び補助連結ねじ７がそれぞれ挿入される、貫通孔４１、４２ａ及び４２ｂを有する。連結ねじ６及び補助連結ねじ７は、貫通孔４１、４２ａ及び４２ｂに光軸方向後方から挿入され、基板４を貫通してホルダ１のねじ孔１ｃ及び１ｄに挿入される。このように、連結ねじ６及び補助連結ねじ７は、基板４とホルダ１とを連結する。貫通孔４１及び４２ａは略円状であるが、貫通孔４２ｂはＸ方向に延びた長孔状に形成されている。貫通孔４２ｂが長孔状になっていることで、補助連結ねじ７の挿入位置を調整することが可能であり、これによってＸ方向の光軸調整が可能となっている。なお、補助連結ねじ７はホルダ１と基板４とを安定的かつ強固に固定するために補助的に用いられている連結具であり、本発明に必須の構成ではない。
【００３１】
＜接着剤３ａ＞
接着剤３ａは、上記のように、ホルダ１と基板４との間であって、連結ねじ６の軸部６ｂの周囲に配置される（図６参照）。接着剤３ａは、硬化する前は液状、ゼリー状、またはシート状である。接着剤３ａは、連結ねじ６の外周に接しないよう、外周から離間して配置される。光軸方向において、接着剤３ａは、ホルダ１と基板４との間に隙間なく配置される。
【００３２】
＜接着剤３ｂ＞
接着剤３ｂは、上記のように、基板４と補助連結ねじ７の頭部７ａとの間であって、補助連結ねじ７の軸部７ｂの周囲に配置される（図５参照）。接着剤３ｂは、補助連結ねじ７の軸部７ｂの外周に接するよう配置される。接着剤３ｂは、硬化する前は液状、ゼリー状、またはシート状である。接着剤３ｂは、配置されるときから円環状であってもよいし、配置後に補助連結ねじ７によって円環状に貫通されてもよい。接着剤３ｂは、基板４の貫通孔４２ａ（または４２ｂ）に入り込むよう配置されている。これによって、ホルダ１に対して基板４が、光軸に垂直な方向（ＸＹ方向）に強固に固定される。光軸方向において、接着剤３ｂは、基板４と連結ねじ７の頭部７ａとの間に隙間なく配置される。
【００３３】
＜弾性シール部材８＞
図２、図３、及び図５に示されるように、弾性シール部材８は、基板４とホルダ１との間に配置される。本実施形態の弾性シール部材８は、ゴムで形成される。弾性シール部材８は、矩形状部分８ａと円筒状部分８ｂとを含んで構成される。
【００３４】
矩形状部分８ａは、断面が矩形状で光軸方向の延びる筒状になっており、撮像素子４ａの四方を囲みつつ、撮像素子４ａを覆うように配置される。矩形状部分８ａの光軸方向後方の端部は、基板４の光軸方向前方の面に接する。
【００３５】
円筒状部分８ｂは、断面が円環状で光軸方向に円筒状に延びる形状であって、レンズ鏡筒２の径方向外側に嵌合するよう形成される。円筒状部分８ｂとレンズ鏡筒２とは径嵌合しており、例えば、接着剤を用いて固定される。または、円筒状部分８ｂに対してレンズ鏡筒２が圧入されることで両者が結合されていてもよい。円筒状部分８ｂの光軸方向前方の端部は、ホルダ１の光軸方向後方の面に接する。
【００３６】
弾性シール部材８は、基板４、レンズ鏡筒２、及びホルダ１との間で隙間が生じないよう配置されており、撮像素子４ａの周辺の空間を密封している。
【００３７】
弾性シール部材８は、上記のように、光軸方向後方が基板４に接し、光軸方向前方がホルダ１に接しており、基板４及びホルダ１に対して付勢力を与えている。より具体的には、弾性シール部材８は、基板４に対して光軸方向後方に向かって付勢力を与え、ホルダ１に対して光軸方向前方に向かって付勢力を与える。そのため、例えば、基板４とホルダ１との位置を固定するための接着剤３ａ及び３ｂが収縮した場合であっても、弾性シール部材８から基板４及びホルダ１に与えられる付勢力によって、基板４とホルダ１との位置が変化せずに安定する。なお、弾性シール部材８は、本発明の「弾性部材」、または「カバー部材」の一構成例である。弾性シール部材８は、ゴムに代えて、樹脂などの弾性部材で形成されてもよい。また、弾性シール部材８は、弾性部材に代えて、弾性を有さない部材に置き換えられてもよく、この場合であっても撮像素子４ａに塵埃が付着することをある程度抑制することができる。
【００３８】
＜本実施形態の撮像装置の特徴＞
このように、本実施形態の撮像装置では、基板４とホルダ１との間に弾性シール部材８を配置した構成としているため、ホルダと基板との位置を安定させつつ、撮像素子４ａの近傍に塵埃が入り込むことを抑制することができる。これによって、基板４とホルダ１との位置ずれに伴う光軸のずれを抑制するとともに、撮像素子４ａに塵埃が付着することで発生する撮像画像の劣化を抑制することができる。
【００３９】
また、本実施形態の撮像装置では、弾性シール部材８が、基板４及びホルダ１に対して光軸方向の付勢力を与える構成としているため、ホルダ１と基板４との間に配置した接着剤（例えば３ａまたは３ｂ）が温度または湿度により収縮したとしても、ホルダ１と基板４との間の光軸方向の位置を安定させることが可能となる。
【００４０】
また、本実施形態の撮像装置では、弾性シール部材８が撮像素子４ａの周辺空間を密封するよう配置された構成としているため、塵埃が撮像素子４ａの周辺に入り込んで撮像素子４ａに付着することを効果的に抑制することができる。これにより、撮像画像の劣化をより効果的に抑制することができる。
【００４１】
また、本実施形態の撮像装置では、弾性シール部材８が、矩形状部分８ａと円筒状部分８ｂとを有する構成としているため、撮像素子４ａの周辺を適切に覆いつつ、レンズ鏡筒２と弾性シール部材８との間に隙間が発生することを防止することができ、より効果的に、撮像素子４ａの周辺空間を密封した構成にすることができる。
【００４２】
＜２．補足事項＞
以上、本発明の実施形態についての具体的な説明を行った。上記説明では、あくまで一実施形態としての説明であって、本発明の範囲はこの一実施形態に留まらず、当業者が把握可能な範囲にまで広く解釈されるものである。
【００４３】
実施形態では、弾性シール部材８が矩形状部分８ａと円筒状部分８ｂとを有する構成を例に挙げて説明しているが、弾性シール部材８は必ずしもこのような形状に限定されるものではなく、任意の形状とすることができる。例えば、弾性シール部材８は、全体が矩形の筒状または円筒状などの形状であってもよく、このような構成であっても一定の効果が得られる。
【００４４】
実施形態では、ホルダ１と基板４とを連結する連結具として、連結ねじ６及び補助連結ねじ７が用いられていたが、これらは必ずしもねじである必要はなく、ねじ山を有さない連結具であってもよい。
【００４５】
本発明の撮像装置は、特に高精度かつ安定的に光軸の調整を行う必要がある、自動車などに搭載される車載用の撮像装置として特に有用である。
【産業上の利用可能性】
【００４６】
本発明は、車載用の撮像装置などとして好適に利用される。
【符号の説明】
【００４７】
１…ホルダ
１ａ…開口部
１ｂ…孔部
１ｃ、１ｄ…ねじ孔
２…レンズ鏡筒
２ａ…レンズ
３ａ、３ｂ…接着剤
４…基板
４ａ…撮像素子
４１、４２ａ、４２ｂ…貫通孔
５…固定具
６…連結ねじ
６ａ…頭部
６ｂ…軸部
７…補助連結ねじ
７ａ…頭部
７ｂ…軸部
８…弾性シール部材
８ａ…矩形状部分
８ｂ…円筒状部分
【図１】
2019082546.tif 000003
【図２】
2019082546.tif 000004
【図３】
2019082546.tif 000005
【図４】
2019082546.tif 000006
【図５】
2019082546.tif 000007